(57)【要約】【課題】光ディスク装置等の動的記憶装置と半導体メモリのような大容量で不揮発性の静的記憶装置とを組み合わせたハイブリッド録画再生装置において、バッテリ駆動時の長時間駆動を可能とすること。【解決手段】動的記憶装置と静的記憶装置を組み合わせたバッテリ駆動のハイブリッド録画再生装置において、バッテリの残量を検出する残量検出器を設けて、バッテリの残量を少なくとも３つの範囲で検出し、前記ハイブリッド録画再生装置を前記検出された３つの範囲に応じて異なる動作モードで動作させることにより、利便性の低下を最低限に留めながらバッテリ駆動時間を長くする。【選択図】図１
2012014789.tif 000002
【特許請求の範囲】
【請求項１】
データの記録及び／又は再生にモータによる駆動が必要な動的記憶装置と、データの記録及び／又は再生にモータによる駆動を必要としない静的記憶装置とを備えたハイブリッド録画再生装置であって、
前記ハイブリッド録画再生装置は、更に、蓄電池を有する電源部と、前記蓄電池の残量を検知する残量検出部と、前記蓄電池の残量に応じて前記ハイブリッド録画再生装置を異なる動作モードで動作させる機器制御部とを備えており、
前記残量検出部は、蓄電池の残量を、蓄電池の残量が第１の値Ｐ１以下である第１範囲と、前記第１の値Ｐ１を超え且つ第２の値Ｐ２以下である第２範囲と、第２の値Ｐ２を超え且つ満充電以下である第３範囲の少なくとも３つの範囲で検出するものであり、
前記機器制御部は、検出された前記３つの範囲に応じて前記ハイブリッド録画再生装置を異なる３つの動作モードで駆動することを特徴としたハイブリッド録画再生装置。
【請求項２】
前記蓄電池の残量が前記第１範囲であることが検出された場合の第１の動作モードは、動的記憶装置のモータ駆動を停止して、静的記憶装置のみによる記録及び／又は再生を行う動作モードとし、
前記蓄電池の残量が前記第２範囲であることが検出された場合の第２の動作モードは、静的記憶装置による記録及び／又は再生を優先し、動的記憶装置をスローに立上げる省電力モードとし、
前記蓄電池の残量が前記第３範囲であることが検出された場合の第３の動作モードは、通常の動作モードとしたことを特徴とする請求項１に記載のハイブリッド録画再生装置。
【請求項３】
前記動的記憶装置が光ディスク装置であることを特徴とする請求項１又は２に記載のハイブリッド録画再生装置。
【請求項４】
前記残量検出部は、蓄電池の残量を、更に、少なくとも光ディスク装置のトレイの開閉に必要な残量である第４の値Ｐ０で検知するものであり、
前記残量検出部が前記第４の値Ｐ０以下であることを検知した場合に、前記機器制御部は、光ディスク装置に光ディスクが装填されていた場合に光ディスク装置のトレイを開放し、光ディスクを取り出し可能とすることを特徴とする請求項３に記載のハイブリッド録画再生装置。
【請求項５】
前記機器制御部は、前記蓄電池の残量を検知する残量検出部からの検出結果に応じて、蓄電池の残量の状態及び／又は現在の動作モードを表示するための情報を出力することを特徴とする請求項１〜４に記載のハイブリッド録画再生装置。
【請求項６】
データの記録及び／又は再生にモータによる駆動が必要な動的記憶装置と、データの記録及び／又は再生にモータによる駆動を必要としない静的記憶装置とを備え、蓄電池によって駆動されるハイブリッド録画再生装置の制御方法であって、
前記蓄電池の残量を、蓄電池の残量が第１の値Ｐ１以下である第１範囲と、前記第１の値Ｐ１を超え且つ第２の値Ｐ２以下である第２範囲と、第２の値Ｐ２を超え且つ満充電以下である第３範囲の少なくとも３つの範囲で検出する工程と、
検出された前記３つの範囲に応じて、前記ハイブリッド録画再生装置を異なる３つの動作モードで駆動する工程とを備えたことを特徴とするハイブリッド録画再生装置の制御方法。
【請求項７】
前記蓄電池の残量が前記第１範囲であることが検出された場合の第１の動作モードは、動的記憶装置のモータ駆動を停止して、静的記憶装置のみによる記録及び／又は再生を行う動作モードであり、
前記蓄電池の残量が前記第２範囲であることが検出された場合の第２の動作モードは、静的記憶装置による記録及び／又は再生を優先し、動的記憶装置をスローに立上げる省電力モードであり、
前記蓄電池の残量が前記第３範囲であることが検出された場合の第３の動作モードは、通常の動作モードであることを特徴とする請求項５に記載のハイブリッド録画再生装置の制御方法。
【請求項８】
前記動的記憶装置が光ディスク装置であり、
前記残量を検出する工程は、蓄電池の残量を、更に、少なくとも光ディスク装置のトレイの開閉に必要な残量である第４の値Ｐ０で検知する工程を含み、
前記残量を検出する工程が前記第４の値Ｐ０以下であることを検知した場合に、前記機器を制御する工程が、光ディスク装置に光ディスクが装填されていた場合に光ディスク装置のトレイを開放し、光ディスクを取り出し可能とする工程を有していることを特徴とする請求項６に記載のハイブリッド録画再生装置の制御方法。
【請求項９】
前記機器を制御する工程は、前記蓄電池の残量を検知する残量検出部からの検出結果に応じて、蓄電池の残量の状態及び／又は現在の動作モードを表示するための情報を出力する工程を含むことを特徴とする請求項６〜８に記載のハイブリッド録画再生装置の制御方法。
【請求項１０】
請求項１から４のいずれか１項に記載のハイブリッド録画再生装置の各部としてコンピュータを機能させるためのプログラム。
【請求項１１】
請求項８に記載のプログラムを記録したコンピュータ読み取り可能な記憶媒体。
【発明の詳細な説明】
【技術分野】
【０００１】
本発明は、光ディスク装置等の大容量ではあるがモータ等による駆動を必要としアクセスに比較的長時間を要する記憶装置（動的記憶装置）と、アクセスが早くモータ等による駆動を必要としないフラッシュメモリ等のメモリ（静的記憶装置）とを組み合わせたハイブリッド録画再生装置に関する。
【背景技術】
【０００２】
現在、記録媒体としてＢＤ（ブルーレイディスク）、ＤＶＤ等を用いた映像記録（ＡＶ）用の録画再生装置や、ＨＤＤ（ハードディスクドライブ）を用いたＡＶ用の録画再生装置が普及しており、更に、前記のＡＶ用の録画再生装置を内蔵したテレビ等が広く普及している。また、前記光ディスク装置やＨＤＤ装置をバッテリ（蓄電池）による駆動として、可搬型（ポータブル型）にしたＡＶ用の録画再生装置も提案されている。
【０００３】
光ディスク装置（光ディスクドライブという場合もある。）を用いた録画再生装置の場合、光ディスクへの記録・再生には、そのための準備時間が必要である等、必ずしも使い勝手のよいものではなかった。また、光ディスク装置、ＨＤＤ装置のいずれも、スピンドルモータ等によるモータ駆動が必須であり、モータ駆動用の電力が必要であることから、蓄電池（以下、バッテリともいう。）駆動とした場合の長時間駆動が困難であるとの課題を有している。特に、モータの起動時に大きな電力を必要とすることから、使用中にモータの起動、停止が繰り返されるような場合には、消費電力が大きくなり、長時間駆動がより困難になるという課題を有している。なお、既に述べたとおり本願の明細書において「記録・再生」の記載は、「記録及び／又は再生」の意味で記載している。
【０００４】
特許文献１には、ＨＤＤ装置とＰＣカード（不揮発性メモリ）を組み合わせて用い、バッテリ残量を考慮してバッテリ残量が少ない場合に消費電力が少ない不揮発性メモリへの保存に切り替えるものが記載されている。
【０００５】
特許文献２には、光ディスクドライブにおいて、通常動作モードとそれより省電力で動作する省電力動作モードを備えおり、光ディスクへのアクセスが一定時間なくなると省電力動作モードに移行させる技術が示されている。
【０００６】
また、光ディスク装置にＳＤＲＡＭ（Synchronous Dynamic ＲＡＭ）を組み合わせ、使い勝手を改善したハイブリッド録画再生装置が提案されている。図１０は、光ディスク装置に、キャッシュメモリとして使用されるＳＤＲＡＭを組み合わせた従来のハイブリッド録画再生装置の概略を示す図である。
【０００７】
図１０において、１００は、ハイブリッド録画再生装置の全体を示しているが、特に、大容量の記憶装置として光ディスク装置７０を用いており、更に、ＳＤＲＡＭよりなるメモリ部２０を有していることから、ここでは、以下、ハイブリッド光ディスク装置と記載する。ハイブリッド光ディスク装置１００は、ハイブリッド光ディスク装置の電源部／入出力部１０、メモリ部２０、光ディスク装置７０の制御部／信号処理部３０、光ディスク装置７０の駆動部４０を有している。
【０００８】
前記電源部／入出力部１０は、バス１に接続された表示部１１、電源／バッテリ１２、バッテリの残量を検知するための残量検出部１３、入出力データのためのデータ圧縮／伸長/処理部１４、入力切替部１５、電源部／入出力部１０の動作を制御するためのコマンド／機器制御部１６、ＲＡＭ１７を有しており、入力切替部１５には、外部入力としてのＴＶ放送受信機５、カメラ６、その他機器７が接続されている。また、バス１には、他機器への接続のためのインターフェース２が設けられている。
【０００９】
既に述べたとおり、メモリ部２０には、ＳＤＲＡＭ２１が設けられており、ＳＤＲＡＭバス２５を介してバス４に接続されている。ここでは詳細は省略するが、ＳＤＲＡＭ２１は、ＤＭＡＣＨ（ダイレクトメモリアクセス・チャンネル）を利用したＤＭＡ転送によって行われている。
【００１０】
光ディスク装置の制御部／信号処理部３０は、光ディスク装置の全体を制御するためのＣＰＵ３１と、制御用のプログラム等が記憶されているＰＲＯＭ３２、ワークメモリとして動作するＲＡＭ３３を有する外、更に、記録制御部３４、再生制御部３５、サーボ制御部３６、メカ／サーボ制御部３７、変／復調回路・ＥＣＣ処理部３８を有している。変／復調回路・ＥＣＣ処理部３８はバス４に接続されており、同じくバス４に接続されたＣＰＵ３１の制御を受ける。バス４には、インターフェース３が設けられており、インターフェース２を介して、前記電源部／入出力部１０に接続されている。
【００１１】
光ディスク装置の駆動部４０は、レーザ素子を有する光ピックアップと、前記光ピックアップを駆動するための駆動部と、光ディスクを回転駆動するスピンドルモータ等を有しているが、従来公知の構成のものを用いることができるので、ここでは、詳細な説明は省略する。
【００１２】
図１１は、図１０に示された従来のハイブリッド光ディスク装置１００の動作の概略を示すものである。図１１（ａ）は、光ディスク装置の立上げ時の動作フローであり、図１１（ｂ）は、光ディスクからのデータ再生時の動作フローであり、図１１（ｃ）は、光ディスクへのデータ記録時の動作フローである。
【００１３】
図１１（ａ）において、装置の電源がＯＮ（ステップ１、以下Ｓ．１と記載する。）にされて、光ディスクが挿入されると（Ｓ．２）、スピンドルモータが回転を開始し（Ｓ．３）、フォーカスサーボがＯＮになり（Ｓ．４）、挿入された光ディスクの種類が判別される（Ｓ．５）。次いで、判別された光ディスクの種類に応じてトラッキングサーボが開始され（Ｓ．６）、サーボの確立を待って（Ｓ．７）、光ディスクの基本データが再生され（Ｓ．８）、上位システムによる記録再生のための準備が完了し（Ｓ．９）、随時、光ディスクへの記録又は光ディスクからの再生が行われる（Ｓ．１０）。
【００１４】
ここで上位システムとは、インターフェース２、３を介して接続された電源部／入出力部１０を指しており、光ディスクへの記録とは、ＴＶ放送受信部５等からのコンテンツデータを光ディスクに記録することであり、光ディスクからの再生とは、光ディスク装置からの再生データを表示部１１等に出力し、再生することを意味している。特に、音声部分の記録・再生について明示していないが、これらのための構成は周知であり省略している。
【００１５】
図１１（ｂ）において詳細に示すとおり、光ディスクからの再生の際には、再生データを一旦ＳＤＲＡＭ２１に記録させ（Ｓ．１１）、更に、ホストにデータ転送する。ここでホストとは上位システムである電源部／入出力部１０を指しており、最終的には、表示部１１において表示されることになる。
【００１６】
また、図１１（ｃ）において詳細に示すとおり、ホスト即ち電源部／入出力部１０からのデータは、コマンド付きデータとして送られてくるので、一旦ＳＤＲＡＭ２１に記録させ、その後、光ディスク装置側に送られることになる。
【００１７】
ＳＤＲＡＭ２１は、バッファ的な役割（ディスクからの再生速度とホストインターフェースの転送速度の調整・整合）とキャッシュメモリとしての役割を果たしており、光ディスク装置の使い勝手が改善されている。
【００１８】
また、電源部／入出力部１０において、バッテリの残量を検出する残量検出部１３が設けられており、バッテリの残量を常時表示することができ、また、所定の容量より少なくなった時点で、アラームを鳴らすこと等ができる。
【００１９】
なお、本明細書では、「データの記録及び／又は再生にモータ等の駆動が必要となる記憶装置」を一括して示す場合には、「動的記憶装置」と記載する。また、本明細書では、大容量不揮発性メモリとは、例えば、ｅＭＭＣ（Embedded Multi Media Card）等の大容量であって、且つ、データの記録及び／又は再生にモータ等による駆動を要しない不揮発性メモリを意味している。前記の「動的記憶装置」に対して、「静的記憶装置」と定義できるものであるから、このようなメモリを一括して示す場合には「静的記憶装置」と記載する。なお、本願の明細書では、「データの再生」は「データの読出し」と同義語として用いている。
【先行技術文献】
【特許文献】
【００２０】
【特許文献１】特開平１１−８５３３２号公報（平成１１年３月３０日公開）
【特許文献２】特開２０１０−９４９４号公報（平成２２年１月１４日公開）
【発明の概要】
【発明が解決しようとする課題】
【００２１】
特許文献１には、バッテリ残量が少ない場合に消費電力が少ない不揮発性メモリへの保存に切り替える技術が記載されているが、主として、バッテリの残容量が少なくなった場合のバックアップを目的としているものであって、装置としての長時間駆動を実現するものではない。
【００２２】
特許文献２には、光ディスクドライブにおいて、通常動作モードとそれより省電力で動作する省電力動作モードを備えおり、光ディスクへのアクセスが一定時間なくなると省電力動作モードに移行させる技術が記載されており、結果的に光ディスクドライブの消費電力を低下させる技術が示されている。
【００２３】
然しながら、省電力動作モードへの移行がバッテリ残量とは無関係であり、十分なバッテリ容量があっても省電力モードに移行してしまい、復帰には何らかの操作を必要とするなど、必ずしも使い勝手が良いものではない。また、省電力動作モードが具体的にどのような動作なのか、明確ではない。
【００２４】
図１０、図１１に示された技術では、バッテリの残量が示されていて、都度バッテリの残量を確認することができるが、バッテリの残量に応じてハイブリッド録画再生装置を異なる動作モードとなるように制御するものではなく、積極的に長時間駆動を実現するものではない。
【課題を解決するための手段】
【００２５】
上記の課題を解決するために、本発明に係るハイブリッド録画再生装置では、データの記録及び／又は再生にモータによる駆動が必要な動的記憶装置と、データの記録及び／又は再生にモータによる駆動を必要としない静的記憶装置とを備えたハイブリッド録画再生装置であって、
前記ハイブリッド録画再生装置は、更に、蓄電池を有する電源部と、前記蓄電池の残量を検知する残量検出部と、前記蓄電池の残量に応じて前記ハイブリッド録画再生装置を異なる動作モードで動作させる機器制御部とを備えており、
前記残量検出部は、蓄電池の残量を、蓄電池の残量が第１の値Ｐ１以下である第１範囲と、前記第１の値Ｐ１を超え且つ第２の値Ｐ２以下である第２範囲と、第２の値Ｐ２を超え且つ満充電以下である第３範囲の少なくとも３つの範囲で検出するものであり、
前記機器制御部は、検出された前記３つの範囲に応じて前記ハイブリッド録画再生装置を異なる３つの動作モードで駆動することを特徴としている。
【００２６】
これによれば、蓄電池（バッテリ）の残量に応じて、十分な残量があるときには、ハイブリッド録画再生装置の全機能を利用可能とし、電池の残量がやや少なくなった時には、ハイブリッド録画再生装置の機能の内、高消費電力の機能を停止し、更に、電池の残量が少なくなった時には、ハイブリッド録画再生装置を最小機能で動作させることができる等決め細やかな制御が可能となり、結果として、使い勝手を大きく損なわずに蓄電池による長時間駆動が可能となる。また、突然、ハイブリッド録画再生装置の全機能が停止することがなく、機能上多少の制約が生じても、録画、再生の最低限の機能を残すことも可能となる。
【００２７】
上記の課題を解決するために、本発明に係るハイブリッド録画再生装置では、前記蓄電池の残量が前記第１範囲であることが検出された場合の第１動作モードは、動的記憶装置のモータ駆動を停止して、静的記憶装置のみによる記録及び／又は再生を行う動作モードとし、前記蓄電池の残量が前記第２範囲であることが検出された場合の第２動作モードは、静的記憶装置による記録及び／又は再生を優先し、動的記憶装置をスローに立上げる省電力モードとし、前記蓄電池の残量が前記第３範囲であることが検出された場合の第３動作モードは、通常の動作モードとしたことを特徴としている。
【００２８】
これによれば、蓄電池の残量が少なくなった時には、最も消費電力の大きいモータ系の駆動を停止することとなり、大きく消費電力を削減できる。この場合、静的記憶装置のみの記録及び／又は再生になるが、再生したいコンテンツが既に静的記憶装置にあり、或いは静的記憶装置の容量が十分確保されていれば、記録及び／又は再生（なお、本願の明細書では「及び／又は」の記載に代え「・」（ドット）と記載する場合もある。）にそれ程の制約を与えることはない。光ディスク等への記録は十分な電池残量があるときに行えば良い。
【００２９】
また、蓄電池の残量がやや少なくなった時は、動的記憶装置をスローに立上げることとなるので、動的記憶装置の立上げに通常より多少多くの時間を必要とする等の制約が生ずるが、ハイブリッド録画再生装置の使用が不可能となるわけではなく、それ程の欠点にはならない。また、静的記憶装置にコンテンツデータがあればそのデータ再生時に、平行して動的記憶装置をスローに立上げることも可能であり、静的記憶装置内のデータ再生に引き続いて動的記憶装置からのデータ再生に切り替えることも可能となり、この場合には殆ど使い勝手を悪くすることはない。
【００３０】
更に、静的記憶装置に十分な空容量があれば、コンテンツの記録を先ず静的記憶装置に行い、それと平行して動的記憶装置の立上げをスローに行い、立上げ後に動的記憶装置への記録に切り替えることも可能となり、この場合も、ほとんど使い勝手を悪くすることはない。
【００３１】
上記の課題を解決するために、本発明に係るハイブリッド録画再生装置では、前記動的記憶装置が光ディスク装置であることを特徴としている。
【００３２】
これによれば、広く普及している光ディスク装置をポータブル型とした場合の長時間駆動を可能にすることができる等、ハイブリッド光ディスク装置の利便性を大きく高めることができる。
【００３３】
上記の課題を解決するために、本発明に係るハイブリッド録画再生装置では、前記残量検出部は、蓄電池の残量を、更に、少なくとも光ディスク装置のトレイの開閉に必要な残量である第４の値Ｐ０で検知するものであり、前記残量検出部が前記第４の値Ｐ０を検知した場合に、前記機器制御部は、光ディスク装置に光ディスクが装填されていた場合に光ディスク装置のトレイを開放し、光ディスクを取り出し可能とすることを特徴としている。
【００３４】
これによれば、蓄電池の残量が少なくなっても、突然停止することはなく、光ディスク装置に光ディスクが装填してあった場合にも、最低限、光ディスクを取り出すことができることになり、ハイブリッド光ディスク装置の利便性を高めることができる。又、光ディスクにキズがつく場合の防止効果もある。
【００３５】
上記の課題を解決するために、本発明に係るハイブリッド録画再生装置では、前記機器制御部は、前記蓄電池の残量を検知する残量検出部からの検出結果に応じて、蓄電池の残量の状態及び／又は現在の動作モードを表示するための情報を出力することを特徴としている。
【００３６】
これによれば、使用者は、現在、どのモードで使用しているかが直ちに判断できることとなり、使用者にやさしい装置を提供できるという効果を奏することになる。
【００３７】
上記の課題を解決するために、本発明に係るハイブリッド録画再生装置の制御方法においては、
データの記録・再生にモータによる駆動が必要な動的記憶装置と、データの記録・再生にモータによる駆動を必要としない静的記憶装置とを備え、蓄電池によって駆動されるハイブリッド録画再生装置の制御方法であって、
前記蓄電池の残量を、蓄電池の残量が第１の値Ｐ１以下である第１範囲と、前記第１の値Ｐ１を超え且つ第２の値Ｐ２以下である第２範囲と、第２の値Ｐ２を超え且つ満充電以下である第３範囲の少なくとも３つの範囲で検出する工程と、
検出された前記３つの範囲に応じて、前記ハイブリッド録画再生装置を異なる３つの動作モードで駆動する工程を備えたことを特徴としている。
【００３８】
これによれば、ハイブリッド録画再生装置において、蓄電池の残量に応じ、長時間使用のためのきめ細かな制御を行うことが可能となり、利便性を向上させたハイブリッド録画再生装置の制御方法を提供することができる。
【００３９】
上記の課題を解決するために、本発明に係るハイブリッド録画再生装置の制御方法においては、前記蓄電池の残量が前記第１範囲であることが検出された場合の第１動作モードは、動的記憶装置のモータ駆動を停止して、静的記憶装置のみによる記録及び／又は再生を行う動作モードであり、前記蓄電池の残量が前記第２範囲であることが検出された場合の第２動作モードは、静的記憶装置による記録及び／又は再生を優先し、動的記憶装置をスローに立上げる省電力モードであり、前記蓄電池の残量が前記第３範囲であることが検出された場合の第３動作モードは、通常の動作モードであることを特徴としている。
【００４０】
これによれば、ハイブリッド録画再生装置において、蓄電池の残量に応じたきめ細かな制御を行うことが可能となり、利便性を向上させたハイブリッド録画再生装置の制御方法を提供することができる。
【００４１】
上記の課題を解決するために、本発明に係るハイブリッド録画再生装置の制御方法においては、前記動的記憶装置が光ディスク装置であり、前記残量検出部は、蓄電池の残量を、更に、少なくとも光ディスク装置のトレイの開閉に必要な残量である第４の値Ｐ０で検知する工程を含み、前記残量検出部が前記第４の値Ｐ０を検知した場合に、前記機器制御部が、光ディスク装置に光ディスクが装填されていた場合に光ディスク装置のトレイを開放し、光ディスクを取り出し可能とする工程を有していることを特徴としている。
【００４２】
これによれば、蓄電池の残量が少なくなっても、突然停止することはなく、光ディスク装置に光ディスクが装填してあった場合にも、最低限、光ディスクを取り出すことができる制御方法を提供できる。
【００４３】
上記の課題を解決するために、本発明に係るハイブリッド録画再生装置の制御方法においては、前記機器制御部は、前記蓄電池の残量を検知する残量検出部からの検出結果に応じて、蓄電池の残量の状態及び／又は現在の動作モードを表示するための情報を出力する工程を含むことを特徴としている。
【００４４】
これによれば、使用者は、現在、どのモードで使用しているかが直ちに判断できることとなり、使用者にやさしいハイブリッド録画装置の制御方法を提供できるという効果を奏することになる。
【００４５】
上記の課題を解決するために、本発明では、ハイブリッド録画再生装置の各部としてコンピュータを機能させるためのプログラムを提供する。
【００４６】
これによれば、ハイブリッド録画再生装置の利便性を大きく損なうことなく長時間駆動可能としたハイブリッド録画再生装置を制御するためのプログラムを提供できる。
【００４７】
上記の課題を解決するために、本発明では、ハイブリッド録画再生装置の各部としてコンピュータを機能させるためのプログラムを記録したコンピュータ読み取り可能な記憶媒体を提供する。
【００４８】
これによれば、ハイブリッド録画再生装置の利便性を大きく損なうことなく長時間駆動可能としたハイブリッド録画再生装置を制御するためのプログラムを記録した記録媒体を提供できる。
【発明の効果】
【００４９】
以上に述べたとおり、本発明に係るハイブリッド録画再生装置では、蓄電池（バッテリ）の残量を少なくとも３段階に分けて検出し、蓄電池の残量に応じて、前記ハイブリッド録画再生装置を異なる動作モードで制御しており、録画再生装置としての利便性の低下を抑えつつ蓄電池による長時間駆動を実現することができる。
【図面の簡単な説明】
【００５０】
【図１】本発明の実施例１に係るハイブリッド録画再生装置の概要を示す図である。
【図２】本発明の実施例１に係るハイブリッド録画再生装置の基本的な考え方を説明するための図である。
【図３】本発明の実施例１に係るハイブリッド録画再生装置の動作の例を説明する図である。
【図４】本発明の実施例１に係るハイブリッド録画再生装置の立上げ時、データ記録再生時の動作概略を示す図である。
【図５】大容量不揮発性メモリ（静的記憶装置）を装填したハイブリッド録画再生装置の構成の概略を示す図である。
【図６】大容量不揮発性メモリ（静的記憶装置）へのアクセスを説明するための図である。
【図７】大容量不揮発性メモリ（静的記憶装置）の構成を説明するための図である。
【図８】大容量不揮発性メモリ（静的記憶装置）へのアクセスの概略を示すフロー図である。
【図９】本発明の実施例２に係るハイブリッド録画再生装置の制御方法を説明するための図である。
【図１０】従来のハイブリッド録画再生装置の概要を示す図である。
【図１１】従来のハイブリッド録画再生装置の動作を示す図である。
【発明を実施するための形態】
【００５１】
以下、本発明の実施の形態について、図面を用いて詳細に説明する。なお、以下の説明では本発明を実施するために好ましい種々の限定が付与されているが、本発明の技術的範囲は、特許請求の範囲の記載によって限定されるものであり、以下の実施例及び図面の記載に限定されるものではない。
【実施例１】
【００５２】
始めに、図１、図２、を用いて本発明の実施例１に係るハイブリッド録画再生装置の原理的な考え方を説明し、次いで、図３、図４を用いて本発明の実施例１に係るハイブリッド録画再生装置において設けることとした３つの動作モードの詳細について説明する。更に、図５、図６、図７、図８を用いて、本発明の実施例１に係るハイブリッド録画再生装置における静的記憶装置の動作を説明する。
【００５３】
本発明の実施例１では、一方の記憶装置として、ＢＤ（ブルーレイディスク）、ＤＶＤ等の記録及び／又は再生可能な光ディスクを用いた光ディスク装置と、他方の記憶装置として、半導体メモリに代表される大容量不揮発性メモリとを組み合わせたハイブリッド録画再生装置を示している。そして、特に、一方の記憶装置として光ディスク装置を用いていることからハイブリッド光ディスク装置として説明しているが、本発明では、光ディスク装置に限られることはない。即ち、光ディスク装置に代えて、大容量且つ安価ではあるが、データの記録・再生にモータ等による駆動が必須であり、従って、モータ等の駆動用電力が必要となるＨＤＤ等の記憶装置を用いることができる。
【００５４】
なお、既に述べたが、本明細書では、「データの記録及び／又は再生にモータ等の駆動が必要となる記憶装置」を一括して示す場合には、「動的記憶装置」と記載する。また、本明細書では、大容量不揮発性メモリとは、例えば、ｅＭＭＣ（Embedded Multi Media Card）等の大容量であり、且つ、データの記録・再生にモータ等による駆動を要しない不揮発性メモリを意味しており、動的記憶装置に対して、静的記憶装置と定義できるものであるから、このようなメモリを一括して示す場合には「静的記憶装置」と記載する。
〔ハイブリッド光ディスク装置の構成〕
図１（ａ）は、本発明に係るハイブリッド録画再生装置において好適に用いられるＢＤ（ブルーレイディスク）、ＤＶＤ等の光ディスクを用いた光ディスク装置の駆動部４０の概略を示しており、図１（ｂ）は、前記駆動部４０と、前記駆動部４０を制御するための制御部／信号処理部３０とを備えた光ディスク装置７０に対して、更に、大容量不揮発性メモリ部５０を含むメモリ部２０と、電源部／入出力部１０を設けたハイブリッド光ディスク装置１００を示している。なお、本願の明細書では、「／」（スラッシュ）は「及び」を意味しており、従って、「電源部／入出力部」は、電源部と入出力部を併せ持っていることを意味している。
【００５５】
図１（ａ）において、光ディスク装置の駆動部４０は、レーザ素子４３を有する光ピックアップ４４と、前記光ピックアップ４４をガイドレール４２に沿って駆動するための水平駆動用モータ４１と、光ディスク４８を回転駆動するためのスピンドルモータ４５を備えており、レーザ素子４３からのレーザ光を、レンズアクチュエータ４６によって光ディスク上に焦点を結ぶ光ビーム４７として光ディスク４８に照射して、信号の記録を行い、また、光ディスク４８からの反射光を受けて信号の再生を行う。
【００５６】
図１（ｂ）において、光ディスク装置７０の制御部／信号処理部３０は、既に公知の構成であり、その動作の詳細等は省略するが、光ディスク装置７０全体の制御を行うためのＣＰＵ３１と、制御のためのプログラム等が記憶されたＰＲＯＭ３２と、前記ＣＰＵ３１のワークメモリ等として使用されるＲＡＭと、サーボ制御部３６と、メカ／サーボ制御部３７を有する外、バス４を介して前記ＣＰＵ３１に接続されることになる変／復調回路・ＥＣＣ処理部３８、記録制御部３４及び再生制御部３５を有している。
【００５７】
図１（ｂ）において、２０はハイブリッド光ディスク装置１００のもう一つの記憶部を構成することになるメモリ部であり、従来のＳＤＲＡＭ２１に加えて、本発明に従って大容量不揮発性メモリ部５０が設けられる。なお、既に説明したが、大容量不揮発性メモリとは、ｅＭＭＣ（Embedded Multi Media Card）等の大容量でデータの記録・再生にモータ等による駆動を要しない不揮発性メモリを意味しており、これらのメモリを一括して表わす場合には静的記憶装置と記載する。
【００５８】
図１（ｂ）に示した実施例１では、大容量不揮発性メモリ部５０として、ｅＭＭＣ（Embedded Multi Media Card）を用いており、ＢＤ（ブルーレイディスク）１枚（２５Ｇから５０Ｇ）程度分の容量ものが選ばれている。
【００５９】
図１（ｂ）において、１０はハイブリッド光ディスク装置１００の電源部／入出力部であり、出力部としての表示部１１、蓄電池を有する電源／バッテリ１２、蓄電池の残量を検出する残量検出部１３、データ圧縮伸長／処理部１４、入力切替部１５、コマンド／機器制御部１６、ＲＡＭ１７、規定値／動作モード記憶部１８を有しており、夫々、バス１に接続されている。また、バス１は、インターフェース２、３を介して、光ディスク装置７０のバス４に接続されている。なお、入力切替部１５には、ＴＶ放送受信部５、カメラ６、その他機器７が接続されている。
【００６０】
表示部１１、データ圧縮伸長／処理部１４、入力切替部１５、コマンド／機器制御部１６、ＲＡＭ１７は、基本的には、図１０と共に説明した従来例における動作と同じであり、これらの装置に関する詳細な説明は省略するが、コマンド／機器制御部１６は、表示部１１に、残量検出部１３が検出した蓄電池の残量状態等を表示するための情報を出力するように構成しても良い。そして、前記蓄電池の残量状態等を表示するための情報は、例えば、表示部１１上に表示されることになる。ハイブリッド光ディスク装置が表示部１１を内蔵していない場合に、前記蓄電池の残量状態等を表示するための情報は、外部接続された表示装置上に表示されることはいうまでもない。
【００６１】
規定値／動作モード記憶部１８には、残量検出部１３が検出すべき「電源／バッテリ１２のバッテリ残量（蓄電池の残量）」の複数の値が規定値として記憶されており、更に、残量検出部１３によって検出されたバッテリ残量に応じて選択される複数の「ハイブリッド光ディスク装置の動作モード」が記憶されている。
【００６２】
図２（ａ）には、規定値／動作モード記憶部１８に記憶された複数の規定値と、バッテリ残量に応じて選択される複数の動作モードの関係が示されている。
【００６３】
図２（ａ）に示すとおり、規定値／動作モード記憶部１８には、バッテリ（蓄電池）の残量ゼロ（０）の状態とＦＵＬＬ充電（満充電）状態との間に、第１の値Ｐ１、第２の値Ｐ２の２つの規定値が設定されている。そして、前記残量検出部１３は、バッテリの残量がゼロと第１の規定値Ｐ１以下（第１範囲）にある場合をバッテリ残量Ｌレベルとして検出し、バッテリの残量が第１の規定値Ｐ１を超え第２の規定値Ｐ２以下（第２範囲）の場合をバッテリ残量Ｍレベルとして検出し、更に、バッテリの残量が第２の規定値Ｐ２を超えＦｕｌｌ充電（満充電）以下（第３範囲）の場合をバッテリ残量Ｈレベルとして検出する。
【００６４】
規定値／動作モード記憶部１８には、前記規定値Ｐ１、Ｐ２の外、第１の動作モード、第２の動作モード、第３の動作モードが記憶されている。第１の動作モードは、バッテリの残量がＬレベルの場合におけるハイブリッド光ディスク装置１００の動作モードを示しており、第２の動作モードは、バッテリの残量がＭレベルの場合におけるハイブリッド光ディスク装置１００の動作モードを示しており、第３の動作モードは、バッテリの残量がＨレベルの場合におけるハイブリッド光ディスク装置１００の動作モードを示している。
【００６５】
前記第１から第３の異なる３つの動作モードについては、図３〜図４を用いて詳細に説明するが、第３の動作モードとは、ハイブリッド光ディスク装置１００の機能を何も制限しない動作モードであり、第２の動作モードとは、ハイブリッド光ディスク装置１００の機能を一部制限する動作モードであり、第３の動作モードとは、ハイブリッド光ディスク装置１００の機能を更に制限する動作モードである。
【００６６】
図２（ｂ）は、ハイブリッド光ディスク装置１００の動作の概要を示している。ハイブリッド光ディスク装置１００の電源がオンされると、残量検出部１３が電源／バッテリ１２のバッテリ（蓄電池）の残量をチェック（ステップ１、以下Ｓ．１と記載する）する。バッテリの残量がＬレベル、Ｍレベル、Ｈレベルのどのレベルにあるかが判断（Ｓ．２）されることになる。
【００６７】
なお、バッテリの残量レベルが検出される毎に、表示部１１（図１（ｂ）参照）に、その旨を表示するようにしても良い。また、表示部１１の画面上に、常時、現在のバッテリ残量の状態Ｈ、Ｍ、Ｌを表示しても良い。残量の表示は、例えば、表示部１１の表示画面の右上隅等に選ばれることが好ましいが、コンテンツ視聴時の邪魔になるようであれば、通常は表示せず、何らかの操作（例えば、リモコン操作）によって表示させるように構成しても良い。更には、残量がＬレベルになった時に、Ｌレベル状況が解消されるまで、その旨を表示することでも良い。また、バッテリの残量表示に代えて、或いは同時に、現在の動作モードを表示させても良い。更に、リモコン等の操作によって、現在の動作モードの詳細（どの機能が使用できて、どの機能が使用できないか等の制限事項）を表示させることもできる。
【００６８】
そして、Ｌレベルにあると判断された場合には、ハイブリッド光ディスク装置１００は、第１の動作モードで駆動制御され（Ｓ．５）、Ｍレベルにあると判断された場合には、ハイブリッド光ディスク装置１００は、第２の動作モードで駆動制御され（Ｓ．４）、Ｈレベルにあると判断された場合には、ハイブリッド光ディスク装置１００は、第３の動作モードで駆動制御される（Ｓ．３）ことになる。
【００６９】
具体的には、例えば、３つの動作モードに対応して、コマンド／機器制御部１６の機器制御部が制御コマンドをインターフェース２、３を介してＣＰＵ３１に送り、ＣＰＵ３１が光ディスク装置の制御とメモリ部２０の制御を行う。なお、図１（ｂ）では、電源部／入出力部１０内の各機器をバス１に接続し、コマンド／機器制御部１６によって制御するようにしているが、電源部／入出力部１０の各機器を直接バス４に接続して、ＣＰＵ３１から直接制御されるような形でも良い。この場合、ハイブリッド光ディスク装置１００を３つの動作モードで制御する機器制御部は、ＣＰＵ３１に該当することになる。
【００７０】
残量検出部１３の残量チェック機能は、ハイブリッド光ディスク装置１００が動作している間中、常時（実際には適宜の時間間隔で繰り返される。）働いており、ストップ指示があった場合に（Ｓ．６）、ストップ処理を行う（Ｓ．７）ことになる。
【００７１】
図３は、バッテリの残量に従って駆動制御されるハイブリッド光ディスク装置１００の動作モードの詳細を示しており、図３（ａ）は第３の動作モード、図３（ｂ）は第２の動作モード、図３（ｃ）は第３の動作モードを夫々示している。
〔第３の動作モード〕
図２（ｂ）のステップ２において、第３の動作モードが選択されると（図２（ｂ）のＳ．３）、図３（ａ）に示されるように、ハイブリッド光ディスク装置１００は第３の動作モードとして「通常の記録再生」を行う（Ｓ．３１）。この第３のモードは、光ディスク装置７０の機能を含め、ハイブリッド光ディスク装置１００の機能をなんら制限するものでなく、従って、光ディスク装置の駆動部４０の立上げを高速に行うことも制限しない。また、メモリ部２０を最大限利用して、光ディスク装置７０の立上げが完了するまでの間、記録又は再生（要請されたデータがメモリ部２０にある場合）をメモリ部２０によって行う等高速アクセスのための動作等も制限しない。即ち、通常どおり、光ディスクに直接アクセスして録画再生し、また、ハイブリッド光ディスク装置の特性を生かして、大容量複発性メモリ５０にアクセスして録画再生する。
【００７２】
図２（ｂ）のステップ２において、第２の動作モードが選択されると（図２（ｂ）のＳ．４）、ハイブリッド光ディスク装置１００は、図３（ｂ）に示される第２の動作モードを実行することになる。
〔第２の動作モード〕
図３（ｂ）を参照して、第２の動作モードを説明する。第２の動作モードが選択されると（図２（ｂ）のＳ．３）、第２の動作モードに入る（Ｓ．４）。先ず、処理が記録か再生かが判断され（Ｓ．４１）、再生の場合には、基本的には光ディスク装置（ドライブ）は省電力モードとなり、大容量不揮発性メモリ５０に所望のデータがあれば、先ず、そのデータから再生し（Ｓ．４２）、ディスク再生は先読み状態とされて大容量不揮発性メモリ部５０に保存される（Ｓ．４３）。そして、大容量不揮発性メモリ部５０に所望のデータがなければディスクよりの再生となる。なお、光ディスク装置の省電力モードの詳細は後で説明する。
【００７３】
図３（ｂ）のステップ４１において、「記録」であると判断されると、光ディスクへの直接の記録に代えて、データは大容量不揮発性メモリ部５０に保存されることになる（Ｓ．４５）。大容量不揮発性メモリ部５０の容量は、光ディスク一枚分の容量である２５〜５０ＧＢに選ばれており、ハイビジョンのＴＶ放送であっても、十分な記録時間を稼ぐことが出来る。そして、光ディスク装置７０は、空き時間に低速モードでデータを光ディスクに記録する（Ｓ．４６）。
【００７４】
例えば、地上デジタル放送（１７Ｍｂｐｓ）、ＢＳ放送（２４Ｍｂｐｓ）のＭＰＥＧ２をトランスコードで１／１０程度に圧縮したＡＶデータを想定すると、２時間番組で、地上デジタル放送では１．５３ＧＢ程度の容量、ＢＳ放送では２．１６ＧＢ程度の容量となるので、大容量不揮発性メモリ部５０には、かなり長時間のテレビ番組を保存できることになる。
【００７５】
第２の動作モードをまとめると、光ディスクへの通常どおりの直接的なアクセスは避けると共に、光ディスク装置７０を後述する省電力モード（低消費電力モード）に切り替えたり、比較的低消費電力で光ディスクにアクセス可能な連続再生や連続記録のモードを使用する。
【００７６】
即ち、再生の場合、機器を使用しながら、並列的に或いは空き時間に先読みし、ディスク１枚分或いは区切りの良いタイトルをディスクより連続的に読み出して大容量複発性メモリ５０に蓄える制御を行う。まとめて先読みする単位は、番組１時間分或いは２時間分としても、大容量不揮発性メモリ部５０には、余裕をもって保存できることになる。なお、大容量不揮発性メモリ部５０の空き容量が不足した場合には、古いデータに上書きするようにしても良い。
【００７７】
一方、記録時は、後述するような省電力モード（低消費電力モード）にて、最小限の範囲で光ディスクに記録するか、或いは、記録は大容量不揮発性メモリ部５０に記録するに留め、光ディスク装置の駆動系は停止させた状態にする。
〔第３の動作モード〕
最後に、図３（ｃ）を用いて、第１の動作モードを説明する。第１の動作モードにおいては、記録か再生かが判定されて（Ｓ．６１）、再生であると判定されると、基本的には大容量不揮発性メモリ部５０のみよりの再生を行い（Ｓ．６２）、光ディスクからの再生は止める（Ｓ．６3）。一方、記録であると判定された場合、光ディスクへの記録指示があっても光ディスクへの記録は行わず、大容量不揮発性メモリ部５０に記録する。光ディスクへの記録は、バッテリを充電した後に纏めて行う。大容量不揮発性メモリ部５０の空き容量が不足した時には、使用者の判断により、古いデータに上書きするような構成としても良い。使用者が上書きを禁止する場合は、使用時間が短くなる旨、告知した上で光ディスクに記録しても良い。
【００７８】
以上に述べた第１の動作モードをまとめると、データ再生は、先読みしたデータが保存されている大容量不揮発性メモリ部５０からの再生に限る。一方、記録も大容量不揮発性メモリ部５０に留め、光ディスクには記録しない。光ディスクに記録するのは、十分充電できる環境があり、充電後、挿入されている光ディスクＩＤと大容量不揮発性メモリ部５０に登録されている光ディスクＩＤとの一致を確認した後、該当するＩＤを持つ光ディスクに、大容量不揮発性メモリ部５０に記録されていたデータを記録する。
【００７９】
記録エラーがなくコマンド・コンプリートで光ディスクへの記録が完了した場合、大容量不揮発性メモリ部５０のデータは削除してもよいし、そのまま残しておいてもよい。ただ、デジタルテレビ放送の場合は、コピー回数は１０回までと制限されているので、大容量不揮発性メモリ部５０から光ディスクにデータをムーブ（移動）することにより、コピー回数制限面では１回の得になる。
〔省電力モード〕
次に、ハイブリッド光ディスク装置における省電力モード（低消費電力モード）設定のための基本的な考え方と、設定例を説明する。
【００８０】
一般に、光ディスク装置の消費電力は、定常再生時で、５〜６Ｗ程度（５Ｖ／１２Ｖ併用）である。５Ｖ電源は、主に制御回路、データ処理回路等に使用され、１２Ｖ電源は、モータ駆動用、レーザ系等大電流が必要な部分に使われている。中でも、大きな電力を必要とするのは、スピンドルモータの所要回転数への立上げ時、光ディスク内外周への長距離シーク時、レーザ素子を駆動した光ディスクへの記録時の３つである。
【００８１】
スピンドルモータの所要回転数への立上げは、電流を増やせば更に早く立ち上がるが、通常は２Ａ程度の電流で１〜２秒程度であり、シーク時におけるシークモータの駆動は、最大２Ａ程度の電流である。
【００８２】
また、記録再生の定常動作時の消費電力に関して、スピンドルモータは、内周では１２Ｖで０．１〜０．２Ａ程度の電流で駆動されていると推定され、１．２Ｗ〜２．４Ｗ程度の消費電力と推定される。記録時には、更に、レーザ素子が１２Ｖで平均０．１５Ａ程度の電流消費となるので、約２Ｗ程度の電力が消費されることになる。シークモータ系の消費電力については、ＡＶコンテンツの場合、連続再生や連続記録が多いと考えられるため、ここでは一応少ないと考えても良い。
【００８３】
５Ｖ電源系での消費電流は３Ａ内外であるが、省電力のための技術としては、使用しない回路ブロックへの電力供給停止やＣＰＵ等の駆動周波数を低周波にすること、５Ｖから３．３Ｖ等の低電圧駆動がある。
【００８４】
本発明に係るハイブリッド光ディスク装置１００は、大容量不揮発性メモリ部５０と光ディスク装置７０の２種類の記録再生部を備えているが、光ディスク装置７０使用時は、スピンドルモータを駆動する必要があり、記録時には更にレーザ駆動の必要がある。然しながら、前記大容量不揮発性メモリ部５０を有効に活用することで、光ディスク装置７０の駆動を停止しても、それ程利便性を落とさずに、所望の動作を行わせることができる。このような動作モード（省電力モード）を設定しておくことで、ハイブリッド光ディスク装置１００の消費電力を小さくすることができ、従って、長時間駆動を可能にすることができる。以下に、具体的な省電力モードを説明する。
〔省電力モードのための方策１〕
録画したい番組の先頭から一定の時間（例えば１０分程度）については、毎回大容量不揮発性メモリ部５０に行い、光ディスク装置７０のスピンドルモータ駆動系、レーザ駆動系等消費電力の大きい箇所の機能を止めておく。光ディスクへの記録が必要になった場合、例えば、使用者が予め決めておいた前記「一定の時間」の終了近くなっても、番組の録画を停止しない場合には、光ディスク装置を「スロー立上げ」して、光ディスクへの記録を開始する。
【００８５】
使用者が短時間で録画をストップした場合には、光ディスク装置７０の立上げ等に必要な電力が全て節約でき、光ディスクへの記録が必要となった場合でも、「スロー立上げ」を行うため、消費電力を引き下げることが可能であり、省電力駆動が可能となる。
〔省電力モードのための方策２〕
大容量不揮発性メモリ部５０への記録中に、光ディスク装置７０のスピンドルモータの立上げ等を行って、光ディスク装置の記録再生準備完了の状態とし、その後、コンテンツ録画を光ディスクへの録画に切り替える。光ディスク装置の記録再生準備完了までに２〜３秒が必要であり、上位コマンド送受信可能になるまで数十秒程度（通常２０〜３０秒）の時間を要するが、大容量不揮発性メモリ部５０への書込みと光ディスク装置７０の立上げとは、同時並行作動が可能であり、立上げ以後は、光ディスク装置の高速記録開始可能となる。
【００８６】
光ディスク装置の「立上げ」をスロー立上げとすることで省電力化が可能であり、また、立上げ以後は、光ディスク装置への高速アクセスも可能であり、利便性を保ちながらの省電力化が実現できる。
〔省電力モードのための方策３〕
ハイブリッド光ディスク装置１００が、録画動作中であっても、大容量不揮発性メモリ部５０への記録中の場合、光ディスク装置の制御部／信号処理部３０の不要回路、スピンドルモータの駆動、光ピックアップの駆動等を含む「光ディスク装置の駆動部４０」の不要回路の電源を落とす。再生中であっても、再生が大容量不揮発性メモリ部５０からである場合は、上記と同様、光ディスク装置の不要回路部分の電源を落とす。
【００８７】
省電力モードとして、どのモードを選ぶかは、バッテリの残量が少なくなった時にどの程度の利便性を保ちながら、どの程度の長時間駆動を実現するかによって決めることができる。
〔ハイブリッド光ディスク装置の立上げ、光ディスクからの再生、光ディスクへの記録〕
次に、図４を用いて、ハイブリッド光ディスク装置の立上げ、光ディスクからの再生及び光ディスクへの記録の各動作について説明する。
【００８８】
図４（ａ）は、本発明に係るハイブリッド光ディスク装置１００の立上げ時の動作の概略を示している。基本的には、図１１と共に説明した従来例と同様であり、詳細な説明は省く。図４（ａ）において、電源がオンにされる（Ｓ．１）と、ハイブリッド光ディスク装置１００が起動され、所定の時間経過後スタンバイ状態となるので、光ディスクを挿入する（Ｓ．２）と、スピンドルモータが回転開始（Ｓ．３）し、フォーカスサーボがオンとなり（Ｓ．４）、光ディスクの種別が判別され（Ｓ．５）、トラッキングサーボがオンとなる（Ｓ．６）。
【００８９】
ディスク系のサーボが確定すると（Ｓ．７）、光ディスク基本データが再生され（Ｓ．８）、上位システムによる記録再生要求に対して準備が完了（Ｓ．９）し、その結果として、光ディスクへの随時の記録再生が可能となる（Ｓ．１０）。
【００９０】
この場合、上位システムとは、電源部／入出力部１０に該当し、従って、上位システムによる記録要求とは、電源部／入出力部１０に接続されたＴＶ放送受信部５、カメラ６、その他機器７からの映像データ、画像データを光ディスク装置７０で記録するという要求であり、また、上位システムによる再生要求とは、表示部１１への映像データ等の表示のための要求である。なお、その他機器７として接続された外部機器、例えばＨＤＤ、ＢＤ等の記録再生装置において、光ディスク装置７０からの再生信号を記録するために、光ディスク装置７０に対して再生要求を出すことも含まれる。
【００９１】
通常、ステップ３（Ｓ．３）〜ステップ７（Ｓ．７）には、比較的長時間を必要とし、また、高消費電力である。従って、この部分の動作を、一時的にでも停止すればその分の低消費電力化が実現できる。また、この光ディスク装置の立上げをスローにすることによっても、停止することに比べると効果が少ないが、省電力化が実現できる。
【００９２】
図４（ｂ）は、ハイブリッド光ディスク装置１００において、光ディスクに記録されているコンテンツを再生する際の再生動作の１例を示している。図４（ａ）のステップ２（Ｓ．２）において、光ディスクを挿入し、再生した場合を考える。挿入された光ディスクのコンテンツが大容量不揮発性メモリ部５０内に記憶されていない場合、全再生データを大容量不揮発性メモリ部５０に記憶させる（Ｓ．１１）。光ディスクが複数枚ある場合には、ディスクＩＤと共に全データを記憶することになる。既に説明したとおり、大容量不揮発性メモリ部５０の容量は、２５〜５０ＧＢに選ばれており、かなり長時間分のコンテンツが記憶可能である。
【００９３】
全データの記憶が終了した後で、光ディスク装置７０を待機状態（停止を含む）にする（Ｓ．１２）。そして、次回に再生コマンドが来た場合に（Ｓ．１３）、大容量不揮発性メモリ部５０に要求データがあれば、大容量不揮発性メモリ部５０からデータを読み出し、このデータを上位システムに転送する（Ｓ．１４）。
【００９４】
ハイブリッド光ディスク装置１００を使用する場合、例えば、光ディスクに記録されたコンテンツの一部のみを見て、後から更に続きのコンテンツを見るようなケースは多いと考えられるが、このような場合は、次回からのコンテンツ再生には消費電力の小さい動作モードで行うことができる。また、充電用電源が近くにある場合等に光ディスクのコンテンツの全てを大容量不揮発性メモリ部５０に記憶させておき、ハイブリッド光ディスク装置１００を外部に持ち出した時に記憶させたコンテンツ楽しむ時には、省電力モードで長時間の再生を楽しむことができる。
【００９５】
図４（ｃ）は、ハイブリッド光ディスク装置１００において、光ディスクへデータを記録する際の記録動作の１例を示す図である。光ディスクに記録すべき大量のコンテンツデータが大容量不揮発性メモリ部５０に転送されてくると（Ｓ．１５）、大容量不揮発性メモリ部５０内のアドレスレジスタに先頭アドレスが指定され（Ｓ．１６）、前記コンテンツデータが記録される。なお、大容量不揮発性メモリ部５０内のアドレスレジスタによる先頭アドレスの指定等、大容量不揮発性メモリ部５０への書き込みについては、図６〜図８を用いて後で説明する。
【００９６】
光ディスク装置７０に光ディスクが挿入されると、光ディスク装置をスロー立上げして（Ｓ．１７）、光ディスク装置の立上げが完了後に、或いは、上位システムが非アクセス時に前記コンテンツデータを光ディスクに記録する。記録が終了した時点で光ディスク装置は停止する（Ｓ．１８）。
［大容量不揮発性メモリ部（静的記憶装置）の構成／動作］
最初に、図５を用いて、ＳＤＲＡＭ２１に対して、大容量不揮発性メモリ部５０を追加した構成を説明し、図６を用いて、大容量不揮発性メモリ部５０へのアクセスの状況を説明し、図７を用いて、大容量不揮発性メモリ部５０に設けたインターフェース変換回路５２の構成を説明する。
【００９７】
図５において、図１（ｂ）に示したハイブリッド光ディスク装置と同一の番号が付与されている構成部分は、同一の構成を示しているので、それらの構成部分の説明は省く。図５に示すとおり、本発明に係るハイブリッド光ディスク装置１００のメモリ部２０は、ＳＤＲＡＭ２１と大容量不揮発性メモリ部５０によって構成されており、夫々ＳＤＲＡＭバス２５によってバス４に接続されている。
【００９８】
大容量不揮発性メモリ部５０は、ＦＰＧＡ（Field Programmable Gate Array）を用いたインターフェース変換回路５２と拡張メモリとして働く大容量不揮発性メモリ５１とを備えている。この拡張メモリとして働く大容量不揮発性メモリ５１には、例えばｅＭＭＣ（Embedded Multi Media Card）等を用いることができるが、既に述べたとおり、これに限られることなく、モータ等による駆動を必要としない半導体メモリ等の静的記憶装置であればよい。
【００９９】
ＦＰＧＡ（Field Programmable Gate Array）自体は、きわめて容易に入手可能であって、しかも設計の自由度が高く、従って、コストを抑えながら、高機能な拡張メモリ付きのハイブリッド光ドライブ装置を得ることが出来る。また、ｅＭＭＣ（Embedded Multi Media Card）も同じく入手が容易で安価であり、コストを抑えながら高機能な拡張メモリ付きのハイブリッド光ドライブ装置を実現することが出来る。ｅＭＭＣメモリによれば、飛躍的に大容量、例えば、ＢＤ１枚から複数枚をも保存可能にできる能力を有するという特徴を持つ。
【０１００】
大容量不揮発性メモリ部５０は、更に、ＦＰＧＡ内回路入力制御部５３、データリードの排他回路５４、大容量不揮発性メモリアドレス指定用レジスタ５５を備えている。ＦＰＧＡ内回路入力制御部５３は、インターフェース変換回路５２の動作を制御するものであり、データリードの排他回路５４は、大容量不揮発性メモリ部５０内の大容量不揮発性メモリ５１にアクセスしている際に、ＳＤＲＡＭ２１へのアクセスを禁止するものである。また、大容量不揮発性メモリアドレス指定用レジスタ５５は、大容量不揮発性メモリ５１にデータを記録する際に指定されたメモリアドレス等を記憶しておくためのレジスタである。即ち、大容量不揮発性メモリ５１にデータ転送する場合、予め、ＦＰＧＡ内の前記大容量不揮発性メモリアドレス指定用レジスタ５５に、記録スタートのアドレスと長さ情報を指定してからＤＭＡ転送することになる。
【０１０１】
次に、図６を用いて、大容量不揮発性メモリ部５０の大容量不揮発性メモリ５１へのアクセスの状況を説明する。図６において、図１及び図５に示した構成部分と同一の構成部分には同一の番号を付与しているので、それらの部分についての説明は省略する。
【０１０２】
図６に示すとおり、ＳＤＲＡＭ２１は、２つのリングバッファ２２，２３を有しており、ＳＤＲＡＭ４１へのデータ転送のための４つのダイレクトメモリアクセス・チャンネル（ＤＭＡＣＨ０，ＤＭＡＣＨ２、ＤＭＡＣＨ３、ＤＭＡＣＨ４）を有している。大容量不揮発性メモリ５１へのアクセスには、これらリングバッファ２２，２３及び４つのダイレクトメモリアクセス・チャンネル（ＤＭＡＣＨ０，ＤＭＡＣＨ２、ＤＭＡＣＨ３、ＤＭＡＣＨ４）と、大容量不揮発性メモリ部５０のインターフェース変換回路５２が主として利用される。
【０１０３】
大容量不揮発性メモリ５１へのデータの記録は、大容量不揮発性メモリアドレス指定用レジスタ５５によって指定されたアドレスに記録されることになり、また、大容量不揮発性メモリ５１からのデータの再生（再生）は、大容量不揮発性メモリアドレス指定用レジスタ５５を介して指定されたアドレスから読み出されることになる。
【０１０４】
即ち、従来のＳＤＲＡＭを設けただけのハイブリッドドライブ装置における制御用ＬＳＩのアドレスは、８ＭＢから１６ＭＢが一般的であり、ギガバイトまではリニアに割り付けることが出来ない。そのため、本願の発明に係るハイブリッド光ディスク装置１００では、大容量不揮発性メモリ５１のアドレスレジスタを構成し、アクセスしたい大容量不揮発性メモリ５１のアドレスを先にレジスタに書き込んでから、実際のデータアクセスを行う。このアドレスレジスタとして、本発明に係るハイブリッド光ディスク装置１００では、大容量不揮発性メモリアドレス指定用レジスタ５５を設けている。データのアクセスはバースト転送を行うことにより、高速性を損なうことなくアクセス可能となる。大容量不揮発性メモリアドレス指定用レジスタ５５による大容量不揮発性メモリ５１へのアクセスのための制御は、ＦＰＧＡ内回路入力制御部５３によって行われる。
【０１０５】
上位システムとなる電源部／入出力部１０からのデータを記録する際には、図６中に破線７３で示されるとおり、電源部／入出力部１００からのデータは、ＤＭＡＣＨ０（ダイレクトメモリアクセス・チャンネル０）、リングバッファ２、ＤＭＡＣＨ４（ダイレクトメモリアクセス・チャンネル４）、リングバッファ２３、ＤＭＡＣＨ３（ダイレクトメモリアクセス・チャンネル３）を経由して、光ディスク装置７０に送られ、光ディスクに記録されることになる。
【０１０６】
光ディスク側からの再生信号は、図６中に実線７４で示されるとおり、ＤＭＡＣＨ２（ダイレクトメモリアクセス・チャンネル２）、リングバッフア２３、ＤＭＡＣＨ４（ダイレクトメモリアクセス・チャンネル４）を介して、大容量不揮発性メモリ部５０のインターフェース変換回路５２に送られる。大容量不揮発性メモリ部５０側に送られたデータは、既に説明したとおり、大容量不揮発性メモリアドレス指定用レジスタ５５によって指定された大容量不揮発性メモリ５１のアドレスに記憶され、更に、ＤＭＡＣＨ４（ダイレクトメモリアクセス・チャンネル４）、リングバッファ２２、ＤＭＡＣＨ０（ダイレクトメモリアクセス・チャンネル０）を介して上位システムとなる電源部／入出力部１０側に送られ、例えば、表示部１１に表示される。
【０１０７】
次に、図７を用いて、大容量不揮発性メモリ部５０の詳細、特に、インターフェース変換回路５２の詳細について説明する。図７は、大容量不揮発性メモリ部５０を中心に記載しており、光ディスク装置の制御部／信号処理部３０等が接続されたバス４に対して、ＳＤＲＡＭバス２５を介してＳＤＲＡＭ２１、大容量不揮発性メモリ部５０が接続されている状況を示している。
【０１０８】
大容量不揮発性メモリ部５０は、既に説明したとおり、インターフェース変換回路５２を介して接続された大容量不揮発性メモリ５１と、ＦＰＧＡ内回路入力制御部５３、データリードの排他回路５４、大容量不揮発性メモリアドレス指定用レジスタ５５を有している。
【０１０９】
インターフェース変換回路５２は、ＦＰＧＡ（Field Programmable Gate Array）を用いて構成されており、ＳＤＲＡＭインターフェース５６と、ＦＩＦＯ５７と、ｅＭＭＣコントローラ５８とを有する。ＦＩＦＯ５７は、ＳＤＲＡＭインターフェース５６とｅＭＭＣコントローラ５８との間のバッファリングを行うもので、両者のスピード差等を吸収してデータのやり取りをスムースに達成する。即ち、このインターフェース変換回路５２は、ＳＤＲＡＭインターフェースと大容量メモリである例えばｅＭＭＣインターフェースとの橋渡しを行う、ＳＤＲＡＭ−ｅＭＭＣブリッジ回路である。
【０１１０】
なお、ｅＭＭＣにより構成されている大容量不揮発性メモリ５１にアクセスする時には、ＳＤＲＡＭ２１側へのアクセスを禁止するための排他制御が行われる。これによれば、前記キャッシュメモリとして動作するＳＤＲＡＭ２１と、大容量不揮発性メモリ５１とを切り分けて利用可能であり、本発明に係るハイブリッド光ディスク装置の有用性を更に高くすることが出来る。なお、ここで排他制御とは、同時に別のバスから同じＳＤＲＡＭをアクセスすることを禁止する制御方法をいう。
【０１１１】
図８は、大容量不揮発性メモリ部５０の大容量不揮発性メモリ５１へのアクセスの状態を説明するための図である。図８（ａ）は、上位システムとなる電源部／入出力部１０から、インターフェース２（図６等参照）を介した光ディスク側へのアクセス要求があった場合の状況を示している。光ディスク装置７０は、最低一回のアクセスにて、現在停止状態であり、大容量不揮発性メモリ部５０に要求されたデータがある限り、光ディスク装置７０での記録再生は不要である（Ｓ．１）。
【０１１２】
この場合、ＳＤＲＡＭ２１からのデータへの排他処理が行われ（Ｓ．２）、大容量不揮発性メモリ５１に、１以上のディスクＩＤを持つデータが保存される（Ｓ．３）。そして、上位システムとなる電源部／入出力部１０からの要求データが大容量不揮発性メモリ５１内にある場合、光ディスクではなく、大容量不揮発性メモリ５１からＳＤＲＡＭバス２５経由でＤＭＡ転送される。
【０１１３】
図８（ｂ）は、ＳＤＲＡＭ２１をバッファとして用いる場合の動作を示している。この場合、光ディスク装置７０は、アクセス中、常時動作状態である（Ｓ．１）。そして、ＳＤＲＡＭ２１をバッファとして小容量単位の繰り返しデータ転送を行い（Ｓ．２）、要求データ転送完了を待つことになる（Ｓ．３）。上位システムとなる電源部／入出力部１０は、ハイブリッド光ディスク装置７０における制御用ＬＳＩのコマンドにより指定可能なアドレス単位（比較的小容量）でデータを完結的に転送・受理することになる。
【実施例２】
【０１１４】
図９を用いて、本願発明に係るハイブリッド光ディスク装置の実施例２を説明する。
【０１１５】
この実施例２も、基本的な考え方は、図２と共に説明した実施例１と同じであるが、実施例２においては、バッテリの残量がＬの場合において、更に特定の設定値Ｐ０（第４の値）以下か否かが判定され、バッテリ残量が第４の値Ｐ０以下の場合には、直ちにストップ処理を行うことになる。
【０１１６】
以下、図１及び図９を参照して実施例２を説明する。図１（ｂ）に示すハイブリッド光ディスク装置１００がスイッチオンされると、残量検出部１３がバッテリ残量をチェックし（Ｓ．１）、残量がＨレベル、Ｍレベル、Ｌレベルのいずれに属するか判定される（Ｓ．２）。バッテリ残量がＨレベル、Ｍレベルの場合には、図２（ｂ）の場合と第３の動作モード、或いは、第２の動作モードが選ばれる。第３の動作モード、第２の動作モードの動作は、実施例１において説明した動作モードと同じでよい。
【０１１７】
この実施例２の場合、バッテリ残量がＬの時には、ハイブリッド光ディスク装置１００は基本的には第３の動作モードで駆動されるが、更に、バッテリ残量がＰ０以下になるか否かがウォッチされており、Ｐ０以下が検出されると（Ｓ．５）、ストップ処理が行われる（Ｓ．８）。設定値Ｐ０の値の決め方は、ストップ処理（Ｓ．８）に必要な電力が残っている値に選ばれる。ストップ処理とは、例えば、光ディスク装置７０において、光ディスクが装填されている場合に光ディスクのトレイをオープン（開放）にして、光ディスクの取り出しを可能とし、更に、光ディスクのトレイを閉じる処理である。従って、この場合の第４の値Ｐ０とは、光ディスク装置７０のトレイの開閉に必要な残量であれば良い。
【０１１８】
図９（ｂ）は、残量検出部１３がバッテリの残量を検知する３つの設定値Ｐ２、Ｐ１、Ｐ０の関係を示している。
[プログラム及び記録媒体]
最後に、本発明に係るハイブリッド録画再生装置における制御プログラムと記録媒体について、本発明の実施例であるハイブリッド光ディスク装置１００を例にして述べる。
【０１１９】
図１、図５、図６、図７に示されるハイブリッド光ディスク装置１００の各ブロックは、ハードウエアロジックによって構成してもよいし、ＣＰＵを用いたソフトウエアによって制御されることとしても良い。即ち、既に説明したとおり、ハイブリッド光ディスク装置１００は、各機能を実現するためのＣＰＵ３１、コマンド／機器制御部１６、プログラム等を収容できるＰＲＯＭ３２，プログラムを実行可能な形式に展開できるＲＡＭ３３，ＲＡＭ１７を備えており、この構成により、本発明に係る制御プログラムは実行できる。この意味で、ハイブリッド光ディスク装置１００はコンピュータとしても動作する。
【０１２０】
記録媒体は、前記の機能を実現するためのソフトウエアであるプログラムのプログラムコード（実行形式プログラム、中間コードプログラム、ソースプログラム）をコンピュータで読み取り可能に記録していればよい。ハイブリッド光ディスク装置１００に、この記録媒体を供給する。これにより、コンピュータとしてのハイグリッド光ディスク装置１００が、供給された記録媒体に記録されているプログラムコードを読出し、実行すれば良い。
【０１２１】
プログラムコードを提供する記録媒体は、特定の構造又は種類に限定されない。例えば、磁気テープやカセットテープ等のテープ系、フロッピー（登録商標）ディスク、ハードディスクの磁気ディスク系、ＣＤ／ＤＶＤ等の光ディスク系、ＩＣカード等のカード系、ＲＯＭ／ＥＰＲＯＭ／フラッシュＲＯＭ等の半導体メモリ系等とすることができる。
【０１２２】
また、ハイグリッド光ディスク装置１００を、通信ネットワークと接続可能の構成にして、プログラムを供給してもよい。例えば、インターネット、ＬＡＮ、ＩＳＤＮ、電話回線網等種々のネットワーク系が利用可能であり、この通信ネットワークを構成する伝送媒体も本願発明の記録媒体に含まれる。
【０１２３】
本発明では、以上に述べたとおり、光ディスク装置７０が待機状態に移行されると、光ディスク装置７０の駆動部４０自体の動作が停止されるため、省電力化に寄与することとなる。一般に、光ディスク装置７０の立上時には、比較的長時間を要することから消費電力が大きくなり、更には、アクセススピードを上げるために、高スピードの立上げを行うことから高消費電力となる。
【０１２４】
それに対して、本発明によれば、大容量不揮発性メモリ５１に大量のデータを記録しておくことができることと相まって、光ディスク装置７０の駆動部４０を停止しておく期間が存在することになり、更には、アクセススピードの低下を招くことなく駆動部４０をスロー立上げすることも可能であり、これらによる省電力化の効果は大きい。また、光ディスク装置７０よりアクセスが早い大容量不揮発性メモリ５１からのデータ再生が行われるため、光ディスク立上までの時間を待つ必要がなくなり、きわめて使い勝手の良いハイブリッド光ディスク装置１００を得ることが出来る。
【０１２５】
そして、本願の発明では、バッテリの残量に応じてハイブリッド光ディスク装置を種々の動作モードにして駆動制御し、比較的バッテリの残量が少なくなったときには、大容量不揮発性メモリ５１を最大限に利用して、光ディスク装置自体の駆動を制限することとしているので、使用勝手をそれほど落とさずに長時間駆動を可能にする。
【０１２６】
また、本発明によれば、従来のハイブリッドドライブ装置に対して、ＦＰＧＡを用いたインターフェース変換回路５２を付加することによって容易に大容量不揮発性メモリを追加できることとなり、容易にハイブリッド光ディスク装置１００の使い勝手を大きく改善することが出来る。
【産業上の利用可能性】
【０１２７】
本発明は、光ディスク装置等の動的記憶装置に、半導体大容量不揮発性メモリ等の静的記憶装置を組み合わせた、バッテリ駆動した際にも長時間駆動が可能なきわめて使い勝手の良いハイブリッド録画再生装置を提供するものであり、産業上の利用可能性は高い。
【符号の説明】
【０１２８】
１  電源部／入出力部のバス
２  電源部／入出力部のインターフェース
３  光ディスク装置側のインターフェース
４  光ディスク装置側のバス
５  ＴＶ放送受信部
６  カメラ
７  その他機器
１０  電源部／入出力部
１１  表示部
１２  電源／バッテリ
１３  残量検出部
１４  データ圧縮伸張／処理部
１５  入力切替部
１６  コマンド／機器制御部
１７  ＲＡＭ
１８  規定値／動作モード記憶部
２０  メモリ部
２１  ＳＤＲＡＭ
２２、２３  リングバッファ
３０  光ディスク装置の制御部／信号処理部
３１  ＣＰＵ
３２  ＰＲＯＭ
３３  ＲＡＭ
３４  記録制御部
３５  再生制御部
３６  サーボ制御部
３７  メカ／サーボ制御部
３８  変／復調回路 ＥＣＣ処理部
４０  光ディスク装置の駆動部
５０  大容量不揮発性メモリ部
５１  大容量不揮発性メモリ（ｅＭＭＣ）
５２  インターフェース変換回路（ＦＰＧＡ）
５３  ＦＰＧＡ内回路入力制御部
５４  データリードの排他回路
５５  大容量不揮発性メモリ アドレス指定用レジスタ
５６  ＳＤＲＡＭインターフェース
５７  ＦＩＦＯ
５８  ｅＭＭＣコントローラ
７０  光ディスク装置
７３  記録時のデータの流れ
７４  再生時のデータの流れ
１００  ハイブリッド光ディスク装置
【図１】
2012014789.tif 000003
【図２】
2012014789.tif 000004
【図３】
2012014789.tif 000005
【図４】
2012014789.tif 000006
【図５】
2012014789.tif 000007
【図６】
2012014789.tif 000008
【図７】
2012014789.tif 000009
【図８】
2012014789.tif 000010
【図９】
2012014789.tif 000011
【図１０】
2012014789.tif 000012
【図１１】
2012014789.tif 000013